(57)【要約】【課題】  例えば記憶媒体に記憶された音声データ等のコンテンツデータに対し、画像データを対応づけて記録させるための操作を容易なものとする。【解決手段】  ユーザー操作に基づき撮像画像が取り込まれるのに応じて、この撮像画像を記憶媒体に記憶された再生中のコンテンツデータに対応づけて記録する。  これによりユーザーは、例えばシャッターボタンに対する操作のみを行うことで、コンテンツデータに撮像画像を対づけて記録させることができ、コンテンツデータに撮像画像を対応付けて記録させるための操作が大幅に容易化される。【選択図】  図６
2005158112.tif 000002
【特許請求の範囲】
【請求項１】
少なくとも音声データを含むコンテンツデータが記憶された記憶媒体からのデータ再生が可能な再生手段と、
上記記憶媒体に対するデータ記録が可能な記録手段と、
操作に基づき、撮像画像に基づく画像データを取り込む画像取込手段と、
上記画像取込手段に対する操作が行われたタイミングに応じて、この画像取込手段により取り込まれた画像データが、上記再生手段において再生中のコンテンツデータと対応づけられて上記記憶媒体に記録されるように、上記記録手段を制御する記録制御手段と、
を備えることを特徴とする記録再生装置。
【請求項２】
上記コンテンツデータは、複数の楽曲トラックから成り、
上記記録制御手段は、
上記画像取込手段により取り込まれた画像データが、上記再生手段において再生中の楽曲トラックと対応づけられて上記記憶媒体に記録されるように、上記記録手段を制御するように構成される、
ことを特徴とする請求項１に記載の記録再生装置。
【請求項３】
記憶媒体に記憶された、少なくとも音声データを含むコンテンツデータについての再生を行う再生手順と、
操作に基づき、撮像画像に基づく画像データを取り込む画像取込手順と、
上記操作が行われて上記画像取込手順が実行されたタイミングに応じて、この画像取込手順により取り込んだ画像データが、上記再生手順により再生中のコンテンツデータと対応づけられて上記記憶媒体に記録されるように制御を行う記録制御手順と、
を実行することを特徴とする記録再生方法。
【発明の詳細な説明】
【技術分野】
【０００１】
本発明は、例えば楽曲データ等のコンテンツデータが記録される記憶媒体についての記録・再生が可能な記録再生装置とその方法に関する。
【背景技術】
【０００２】
従来より、ＣＤ（Compact Disc）、ＭＤ（Mini Disc：光磁気ディスク）、ハードディスク等の記憶媒体に記録される楽曲データ等のコンテンツデータに対して、所望の画像データを対応づけて記録させておくということが行われている。
例えば、記憶媒体にアルバム単位での楽曲データが記録される場合などでは、アルバムのジャケット写真などを対応づけて記録させるといったことが行われる。
或いは、ユーザーが自らデジタルスチルカメラ等によって撮像した画像データを対応づけておくといったことも可能とされる。
このように楽曲データに対応づけて画像データを記録しておくことで、記憶媒体に記憶された楽曲情報のロード時等に、例えばその曲のイメージ画像をユーザーに提示するといったことが可能となり、選曲を直感的に行わせることが可能となったり娯楽性を増すことができる等のメリットがある。
【０００３】
この際、例えば上記のようにして楽曲データに対して撮像画像を対応付けて記録するといった場合には、現状においてユーザーは、デジタルスチルカメラ等により撮像した画像データを先ずはパーソナルコンピュータ等の情報処理装置に対して取り込むようにされる。その上で、例えば楽曲データ編集のためのアプリケーションの指示に従うなどして、取り込んだ画像データを所望の楽曲データに対応づけて記憶媒体に記録させるといった手法が採られることが考えられる。
【０００４】
なお、関連する従来技術として、以下の特許文献には映像データと楽曲データとを記録再生装置側で自動的に編集するための構成が示されている。
【特許文献１】特開２００３−１２５３４６号公報
【発明の開示】
【発明が解決しようとする課題】
【０００５】
しかしながら、例えば上記したように楽曲データと画像データとの対応付けにパーソナルコンピュータ等を用いる手法において、ユーザーは少なくとも楽曲データ編集のためのアプリケーションの起動のための操作、撮像画像の取り込みのための操作、取り込んだ画像を対応づけるべき楽曲データの指定操作等の複数回の操作を行う必要がある。またこの際、特にパーソナルコンピュータ等に不慣れなユーザーにとっては、このような操作が複雑に感じられる虞がある。
【０００６】
また、仮にパーソナルコンピュータを介さずに、記録再生装置にダイレクトに撮像画像を取り込める場合でも、取り込みのための操作や対応づけるべき楽曲データの選択のための操作など、ユーザーに複数の操作を強いることになる。
【０００７】
さらに、このように楽曲データと画像データとを対応づける際、ユーザーは楽曲のタイトル名が提示されただけではその内容を認識できないということが考えられる。そしてこのようなとき、ユーザーは画像データの対応付けの前に、いくつかの楽曲を試聴して内容を認識した後、改めてその楽曲に対する画像データの対応付け操作を行うようにされる。
これによって操作回数はさらに増加することになる。
【課題を解決するための手段】
【０００８】
そこで、本発明では以上のような問題点に鑑み、記録再生装置として以下のように構成することとした。
すなわち、先ず、少なくとも音声データを含むコンテンツデータが記憶された記憶媒体からのデータ再生が可能な再生手段と、上記記憶媒体に対するデータ記録が可能な記録手段とを備える。
そして、操作に基づき、撮像画像に基づく画像データを取り込む画像取込手段と、上記画像取込手段に対する操作が行われたタイミングに応じて、この画像取込手段により取り込まれた画像データが、上記再生手段において再生中のコンテンツデータと対応づけられて上記記憶媒体に記録されるように、上記記録手段を制御する記録制御手段とを備えるようにした。
【０００９】
また、本発明では記録再生方法として以下のようにもすることとした。
つまり、記憶媒体に記憶された、少なくとも音声データを含むコンテンツデータについての再生を行う再生手順と、操作に基づき、撮像画像に基づく画像データを取り込む画像取込手順とを実行する。
その上で、上記操作が行われて上記画像取込手順が実行されたタイミングに応じて、この画像取込手順により取り込んだ画像データが、上記再生手順により再生中のコンテンツデータと対応づけられて上記記憶媒体に記録されるように制御を行う記録制御手順を実行するようにした。
【００１０】
上記した本発明の記録再生装置及び記録再生方法によれば、例えばユーザー操作に基づいて撮像画像の取り込みが行われたタイミングに応じて、この撮像画像が自動的に再生中のコンテンツデータに対応づけられて記録されるものとなる。
【発明の効果】
【００１１】
このように本発明によれば、例えばユーザー操作に基づいて撮像画像が取り込まれるのに応じ、再生中のコンテンツデータに自動的に撮像画像が対応づけられて記録されるので、ユーザーは撮像画像取り込みのための操作を行うだけで、取り込んだ画像データを再生中のコンテンツデータに対応づけて記憶媒体に記録させることが可能となる。
つまり、このような本発明によれば、コンテンツデータに撮像画像を対応付けて記録させるための操作を、非常に簡易なものとすることができ、ユーザーの操作負担を大幅に軽減することができるものとなる。
【００１２】
また、上記もしているように本発明では、再生中のコンテンツデータに対応づけて撮像画像を記録するようにしたので、例えば先に述べたようにコンテンツ内容の確認のために再生を行う場合にも、ユーザーは再生中に撮像画像取り込みのための操作を行うのみで、このコンテンツデータと撮像画像の対応付けを実行させることができる。
つまり、従来のように内容確認のための再生を行った後、改めて対応付けのための操作を行う必要がなくなり、この点でもコンテンツデータと撮像画像とを対応付けて記録するための操作の簡易化が図られるものとなる。
【発明を実施するための最良の形態】
【００１３】
以下、発明を実施するための最良の形態（以下、実施の形態とする）について説明していく。
図１は、実施の形態としての記録再生装置１の内部構成例について示したブロック図である。
実施の形態としての記録再生装置１としては、一例として、磁界変調方式でデータ記録が行われる光磁気ディスクであるミニディスク（ＭＤ）方式のディスクに対する記録再生装置である場合を例に挙げる。但し、既に普及している音楽用途のミニディスクのみではなく、より高密度記録を可能とし、コンピュータユースの各種データのストレージに利用できる高密度ディスク（次世代ディスクとも言う）についても対応可能な記録再生装置である。
【００１４】
また、本例の記録再生装置１としては、例えばパーソナルコンピュータ（或いはネットワーク）５０等の外部の機器との間でデータ通信可能な機器とされる。
例えば記録再生装置１は、パーソナルコンピュータ５０とＵＳＢケーブル等の伝送路５１で接続されることで、パーソナルコンピュータ５０に対する外部ストレージ機器として機能できる。また、パーソナルコンピュータ５０を介したり、或いは直接ネットワークと接続できる機能を備えるなどしてネットワーク接続されることで、音楽や各種データをダウンロードし、記録再生装置１においてストレージ部２に装填されたディスクに保存できるものともなる。
【００１５】
一方、この記録再生装置１はパーソナルコンピュータ５０等に接続しなくとも、例えばオーディオ機器として機能する。例えば他のオーディオ機器等から入力された音楽データをディスクに記録したり、ディスクに記録された音楽データ等を再生出力することができる。
即ち本例の記録再生装置１は、パーソナルコンピュータ５０等に接続されることで汎用的なデータストレージ機器として利用でき、かつ単体ではオーディオ記録再生機器としても利用できる装置である。
【００１６】
ここで、本例の記録再生装置１が対応するとされる、光磁気記録による次世代ディスクの概要について説明しておく。
先ず、このような次世代ディスクとしては、現行のパーソナルコンピュータとの親和性が図れるように、ファイル管理システムとしてＦＡＴ（File Allocation Table）システムを使って、オーディオデータのようなコンテンツデータを記録再生するものである。
また、現行のＭＤシステムに対して、エラー訂正方式や変調方式等の改善を行うことで、データの記録容量の増大を図るとともにデータの信頼性を高めているものである。
【００１７】
次世代ディスクの記録再生のフォーマットとしては、現行のＭＤシステムで用いられているディスクと全く同様のディスクを用いるようにした次世代ＭＤ１の仕様と、現行のＭＤシステムで用いられているディスクと外形は同様であるが、磁気超解像度（ＭＳＲ）技術を使うことにより、線記録方向の記録密度を上げて、記録容量をより増大した次世代ＭＤ２の仕様とが提案されている。
【００１８】
現行のＭＤシステムでは、カートリッジに収納された直径６４ｍｍの光磁気ディスクが記録媒体として用いられている。ディスクの厚みは１．２ｍｍであり、その中央に１１ｍｍの径のセンターホールが設けられている。カートリッジの形状は、長さ６８ｍｍ、幅７２ｍｍ、厚さ５ｍｍである。
次世代ＭＤ１の仕様でも次世代ＭＤ２の仕様でも、これらディスクの形状やカートリッジの形状は、全て同じである。リードイン領域の開始位置についても、次世代ＭＤ１の仕様および次世代ＭＤ２の仕様のディスクも、２９ｍｍから始まり、現行のＭＤシステムで使用されているディスクと同様である。
つまり、従来のＭＤシステムとの外形上での互換性が確保されているものである。
【００１９】
トラックピッチについては、次世代ＭＤ２では、１．２μｍから１．３μｍ（例えば１．２５μｍ）とすることが検討されている。これに対して、現行のＭＤシステムのディスクを流用する次世代ＭＤ１では、トラックピッチは１．６μｍとされている。ビット長は、次世代ＭＤ１が０．４４μｍ／ビットとされ、次世代ＭＤ２が０．１６μｍ／ビットとされる。冗長度は、次世代ＭＤ１および次世代ＭＤ２ともに、２０．５０％である。
【００２０】
次世代ＭＤ２の仕様のディスクでは、磁気超解像技術を使うことにより、線密度方向の記録容量を向上するようにしている。磁気超解像技術は、所定の温度になると、切断層が磁気的にニュートラルな状態になり、記録層に転写されていた磁壁が転写されることで、微少なマークがビームスポットの中に見えるようになることを利用したものである。
具体的に、次世代ＭＤ２の仕様のディスクでは、透明基板上に、少なくとも情報を記録する記録層となる磁性層と、切断層と、情報再生用の磁性層とが積層される。切断層は、交換結合力調整用層となる。所定の温度になると、切断層が磁気的にニュートラルな状態になり、記録層に転写されていた磁壁が再生用の磁性層に転写される。これにより、微少なマークがビームスポットの中に見えるようになる。なお、記録時には、レーザパルス磁界変調技術を使うことで、微少なマークを生成することができる。
【００２１】
また、次世代ＭＤ２の仕様のディスクでは、デトラックマージン、ランドからのクロストーク、ウォブル信号のクロストーク、フォーカスの漏れを改善するために、グルーブを深くし、グルーブの傾斜を鋭くしている。次世代ＭＤ２の仕様のディスクでは、グルーブの深さは例えば１６０ｎｍから１８０ｎｍであり、グルーブの傾斜は例えば６０度から７０度であり、グルーブの幅は例えば６００ｎｍから７００ｎｍである。
【００２２】
光学的の仕様については、次世代ＭＤ１の仕様では、レーザ波長λが７８０ｎｍとされ、光学ヘッドの対物レンズの開口率ＮＡが０．４５とされている。次世代ＭＤ２の仕様も同様に、レーザ波長λが７８０ｎｍとされ、光学ヘッドの開口率ＮＡが０．４５とされている。
【００２３】
また、記録方式としては、ＭＤ１の仕様もＭＤ２の仕様も、グルーブ記録方式が採用されている。つまり、グルーブ（ディスクの盤面上の溝）をトラックとして記録再生に用いるようにしている。
【００２４】
さらに、エラー訂正符号化方式としては、現行のＭＤシステムでは、ＡＣＩＲＣ(Advanced Cross Interleave Reed-Solomon Code) による畳み込み符号が用いられていたが、次世代ＭＤ１および次世代ＭＤ２の仕様では、ＲＳ−ＬＤＣ（Reed Solomon−Long Distance Code）とＢＩＳ（Burst Indicator Subcode）とを組み合わせたブロック完結型の符号が用いられている。
ブロック完結型のエラー訂正符号を採用することにより、リンキングセクタが不要になる。ＬＤＣとＢＩＳとを組み合わせたエラー訂正方式では、バーストエラーが発生したときに、ＢＩＳによりエラーロケーションが検出できる。このエラーロケーションを使って、ＬＤＣコードにより、イレージャ訂正を行うことができる。
【００２５】
アドレス方式としては、シングルスパイラルによるグルーブを形成したうえで、このグルーブの両側に対してアドレス情報としてのウォブルを形成したウォブルドグルーブ方式が採用されている。このようなアドレス方式は、ＡＤＩＰ（Address in Pregroove）と呼ばれている。
ＡＤＩＰの仕様については、現行のＭＤシステムと同様であるが、現行のＭＤシステムでは、２３５２バイトからなるセクターを記録再生のアクセス単位としているのに対して、次世代ＭＤ１および次世代ＭＤ２の仕様では、６４Ｋバイトを記録再生のアクセス単位（レコーディングブロック）としている。
また、現行のＭＤシステムでは、エラー訂正符号としてＡＣＩＲＣと呼ばれる畳み込み符号が用いられているのに対して、次世代ＭＤ１および次世代ＭＤ２の仕様では、ＬＤＣとＢＩＳとを組み合わせたブロック完結型の符号が用いられている。
そこで、現行のＭＤシステムのディスクを流用する次世代ＭＤ１の仕様では、ＡＤＩＰ信号の扱いを、現行のＭＤシステムのときとは異なるようにしている。また、次世代ＭＤ２の仕様では、次世代ＭＤ２の仕様により合致するように、ＡＤＩＰ信号の仕様に変更を加えている。
【００２６】
変調方式については、現行のＭＤシステムでは、ＥＦＭ(8 to 14 Modulation)が用いられているのに対して、次世代ＭＤ１および次世代ＭＤ２の仕様では、ＲＬＬ（１，７）ＰＰ（ＲＬＬ;Run Length Limited ,ＰＰ;Parity Preserve/Prohibit rmtr(repeated minimum transition runlength))（以下、１−７ｐｐ変調と称する）が採用されている。また、データの検出方式は、次世代ＭＤ１ではパーシャルレスポンスＰＲ（１，２，１）ＭＬを用い、次世代ＭＤ２ではパーシャルレスポンスＰＲ（１，−１）ＭＬを用いたビタビ復号方式とされている。
【００２７】
また、ディスク駆動方式はＣＬＶ（Constant Linear Verocity）で、その線速度は、次世代ＭＤ１の仕様では、２．７ｍ／秒とされ、次世代ＭＤ２の仕様では、１．９８ｍ／秒とされる。なお、現行のＭＤシステムの仕様では、６０分ディスクで１．２ｍ／秒、７４分ディスクで１．４ｍ／秒とされている。
【００２８】
現行のＭＤシステムで用いられるディスクをそのまま流用する次世代ＭＤ１の仕様では、ディスク１枚当たりのデータ総記録容量は約３００Ｍバイト（８０分ディスクを用いた場合）になる。変調方式がＥＦＭから１−７ｐｐ変調とされることで、ウィンドウバージンが０．５から０．６６６となり、この点で、１．３３倍の高密度化が実現できる。
また、エラー訂正方式として、ＡＣＩＲＣ方式からＢＩＳとＬＤＣを組み合わせたものとしたことで、データ効率が上がり、この点で、１．４８倍の高密度化が実現できる。総合的には、全く同様のディスクを使って、現行のＭＤシステムに比べて、約２倍のデータ容量が実現されたことになる。
【００２９】
これに対し磁気超解像度を利用した次世代ＭＤ２の仕様のディスクでは、更に線密度方向の高密度化が図られ、データ総記録容量は、約１Ｇバイトになる。
【００３０】
なお、データレートは次世代ＭＤ１では４．４Ｍビット／秒であり、次世代ＭＤ２では、９．８Ｍビット／秒である。
【００３１】
図２（ａ）には、次世代ＭＤ１のディスクの構成が示されている。
次世代ＭＤ１のディスクは、現行のＭＤシステムのディスクをそのまま流用したものである。すなわち、透明のポリカーボネート基板上に、誘電体膜と、磁性膜と、誘電体膜と、反射膜とを積層して構成される。更に、その上に保護膜が積層される。
次世代ＭＤ１のディスクでは、この図２（ａ）に示すようにディスクの内周のリードイン領域に、Ｐ−ＴＯＣ（プリマスタードＴＯＣ（Table Of Contents））領域が設けられる。ここは、物理的な構造としてはプリマスタード領域となり、エンボスピットによりコントロール情報等がＰ−ＴＯＣ情報として記録されていることになる。
【００３２】
そして、このようにＰ−ＴＯＣ領域が設けられるリードイン領域の外周は、レコーダブル領域（光磁気記録可能な領域）とされ、記録トラックの案内溝としてグルーブが形成された記録再生可能領域となっている。このレコーダブル領域の内周には、Ｕ−ＴＯＣ（ユーザーＴＯＣ）が設けられる。
この場合のＵ−ＴＯＣは、現行のＭＤシステムでディスクの管理情報を記録するために用いられているＵ−ＴＯＣと同様の構成のものである。確認のために述べておくと、Ｕ−ＴＯＣは、現行のＭＤシステムにおいては、トラック（オーディオトラック／データトラック）の曲順、記録、消去などに応じて書き換えられる管理情報であり、各トラック（トラックを構成するパーツ）について、開始位置、終了位置や、モードを管理するものである。
【００３３】
また、Ｕ−ＴＯＣの外周には、アラートトラックが設けられる。アラートトラックは、このディスクが次世代ＭＤ１方式で使用され、現行のＭＤシステムのプレーヤでは再生できないことを示す警告音が記録された警告トラックである。
【００３４】
図２（ｂ）には、次世代ＭＤ１の仕様のディスクのレコーダブル領域の構成を示している。
この図２（ｂ）に示されるように、レコーダブル領域の先頭（内周側）には、Ｕ−ＴＯＣおよびアラートトラックが設けられる。Ｕ−ＴＯＣおよびアラートトラックが含まれる領域は、現行のＭＤシステムのプレーヤでも再生できるように、ＥＦＭでデータが変調されて記録される。
そして、このＥＦＭ変調でデータが変調されて記録される領域の外周には、次世代ＭＤ１方式の１−７ｐｐ変調でデータが変調されて記録される領域が設けられる。ＥＦＭでデータが変調されて記録される領域と、１−７ｐｐ変調でデータが変調されて記録される領域との間は所定の距離の間だけ離間されており、ガードバンドが設けられている。
このようなガードバンドが設けられるため、現行のＭＤプレーヤに次世代ＭＤ１の仕様のディスクが装着されて、不具合が発生されることが防止される。
【００３５】
１−７ｐｐ変調でデータが変調されて記録される領域の先頭（内周側）には、ＤＤＴ(Disc Description Table)領域と、セキュアトラックが設けられる。ＤＤＴ領域には、物理的に欠陥のあるセクタ（レコーディングブロック）に対する交替セクタ処理をするために設けられる。
ＤＤＴ領域には、さらに、ユニークＩＤ（ＵＩＤ）が記録される。ＵＩＤは、記録媒体毎に固有の識別コードであって、例えば所定に発生された乱数に基づく。
セキュアトラックは、コンテンツの保護を図るための情報が格納される。
【００３６】
さらに、１−７ｐｐ変調でデータが変調されて記録される領域には、ＦＡＴ（File Allocation Table）領域が設けられる。このＦＡＴ領域は、ＦＡＴシステムでデータを管理するための領域である。
ＦＡＴシステムは、汎用のパーソナルコンピュータで使用されているＦＡＴシステムに準拠したデータ管理を行うものである。ＦＡＴシステムは、ルートにあるファイルやディレクトリのエントリポイントを示すディレクトリと、ＦＡＴクラスタの連結情報が記述されたＦＡＴテーブルとを用いて、ＦＡＴチェーンによりファイル管理を行うものである。
【００３７】
このような次世代ＭＤ１の仕様のディスクにおいて、上記したＵ−ＴＯＣ領域には、アラートトラックの開始位置の情報と、１−７変調でデータが変調されて記録される領域の開始位置の情報が記録されるものとなる。
【００３８】
ここで、現行のＭＤシステムのプレーヤに、上記構成による次世代ＭＤ１のディスクが装着されると、Ｕ−ＴＯＣ領域が読み取られ、Ｕ−ＴＯＣの情報から、アラートトラックの位置が分かり、アラートトラックがアクセスされ、アラートトラックの再生が開始される。アラートトラックには、このディスクが次世代ＭＤ１方式で使用され、現行のＭＤシステムのプレーヤでは再生できないことを示す警告音が記録されている。
この警告音から、このディスクが現行のＭＤシステムのプレーヤでは使用できないことが通知される。
なお、この場合の警告音としては、「このプレーヤでは使用できません」というような言語による警告とすることができる。勿論、ブザー音とするようにしても良い。
【００３９】
一方、次世代ＭＤ１に準拠したプレーヤに対し、次世代ＭＤ１のディスクが装着された場合、Ｕ−ＴＯＣ領域が読み取られ、Ｕ−ＴＯＣの情報から１−７ｐｐ変調でデータが記録された領域の開始位置が分かり、上記したＤＤＴ、セキュアトラック、ＦＡＴ領域が読み取られる。上述のように１−７ｐｐ変調のデータの領域では、Ｕ−ＴＯＣではなくＦＡＴシステムによるデータ管理が行われる。
【００４０】
続いて図３（ａ）には、次世代ＭＤ２のディスクの構成を示す。
この場合もディスクは、透明のポリカーボネート基板上に誘電体膜、磁性膜、誘電体膜、反射膜、さらにその上層に保護膜を積層して成る。
そして、次世代ＭＤ２のディスクの場合では、図示するようにディスクの内周のリードイン領域には、ＡＤＩＰ信号により、コントロール情報が記録されるものとなる。
次世代ＭＤ２のディスクには、リードイン領域にはエンボスピットによるＰ−ＴＯＣは設けられておらず、その代わりに、ＡＤＩＰ信号によるコントロール情報が用いられる。リードイン領域の外周からレコーダブル領域が開始され、記録トラックの案内溝としてグルーブが形成された記録再生可能領域となっている。このレコーダブル領域には、１−７ｐｐ変調方式によりデータが変調されて記録される。
【００４１】
ここで、次世代ＭＤ１であるか次世代ＭＤ２であるかは、例えば、リードインの情報から判断できる。
すなわち、リードインにエンボスピットによるＰ−ＴＯＣが検出されれば、現行のＭＤまたは次世代ＭＤ１のディスクであると判断できる。リードインにＡＤＩＰ信号によるコントロール情報が検出され、エンボスピットによるＰ−ＴＯＣが検出されなければ、次世代ＭＤ１であると判断できる。
なお、次世代ＭＤ１と次世代ＭＤ２との判別は、このような方法に限定されるものではない。オントラックのときとオフトラックのときとのトラッキングエラー信号の位相から判別することも可能である。勿論、ディスク識別用の検出孔等を設けるようにしても良い。
【００４２】
次世代ＭＤ２の仕様のディスクのレコーダブル領域の構成としては、次の図３（ｂ）に示すように、全て１−７変調方式によりデータが変調されて記録される領域が形成される。そして、この１−７変調方式によりデータが変調されて記録される領域の先頭（内周側）には、ＤＤＴ領域と、セキュアトラックが設けられる。
この場合も上記ＤＤＴ領域には、物理的に欠陥のあるセクタ（レコーディングブロック）に対する交替セクタ処理を行うための領域とされる。またＤＤＴ領域には、上述したＵＩＤが記録される。さらにセキュアトラックには、この場合もコンテンツの保護を図るための情報が格納される。
【００４３】
また、１−７ｐｐ変調でデータが変調されて記録される領域には、ＦＡＴ領域が設けられる。ＦＡＴ領域は、ＦＡＴシステムでデータを管理するための領域である。ＦＡＴシステムは、汎用のパーソナルコンピュータで使用されているＦＡＴシステムに準拠したデータ管理を行うものである。
【００４４】
そして、このような次世代ＭＤ２のディスクにおいては、図からもわかるようにＵ−ＴＯＣ領域は設けられていない。つまり、次世代ＭＤ２のディスクについては、次世代ＭＤ２に準拠したプレーヤでのみの使用が想定されているものである。
次世代ＭＤ２のディスクが装着されると、所定の位置にあるＤＤＴ、セキュアトラック、ＦＡＴ領域が読み取られ、ＦＡＴシステムを使ってデータの管理が行われることになる。
【００４５】
これまでに説明してきたような次世代ディスクに対応するために、図１に示す本例の記録再生装置１では、次の図４に示す構成によるストレージ部２を備えて、コンテンツデータの記録・再生を行うものとされる。
【００４６】
図４において、このストレージ部２では、装填されたディスク４０をスピンドルモータ２９によってＣＬＶ方式で回転駆動させる。そして、このディスク４０に対しては記録／再生時に光学ヘッド１９によってレーザ光が照射される。
【００４７】
なお、この場合、ディスク４０としては、現行のＭＤ仕様のディスクと、次世代ＭＤ１の仕様のディスクと、次世代ＭＤ２の仕様のディスクとが装着される可能性があることから、これらのディスクにより線速度が異なるものとなる。
このため、スピンドルモータ２９は、装填されたディスク４０の別に応じた異なる線速度に対応して回転されることになる。
【００４８】
光学ヘッド１９は、記録時には記録トラックをキュリー温度まで加熱するための高レベルのレーザ出力を行い、また再生時には磁気カー効果により反射光からデータを検出するための比較的低レベルのレーザ出力を行う。このため、光学ヘッド１９には、ここでは詳しい図示は省略するがレーザ出力手段としてのレーザダイオード、偏光ビームスプリッタや対物レンズ等からなる光学系、及び反射光を検出するためのディテクタが搭載されている。光学ヘッド１９に備えられる対物レンズとしては、例えば２軸機構によってディスク半径方向及びディスクに接離する方向に変位可能に保持されている。
【００４９】
また、ディスク４０を挟んで光学ヘッド１９と対向する位置には磁気ヘッド１８が配置されている。磁気ヘッド１８は記録データによって変調された磁界をディスク４０に印加する動作を行う。
また、図示しないが光学ヘッド１９全体及び磁気ヘッド１８をディスク半径方向に移動させためスレッドモータ及びスレッド機構が備えられている。
【００５０】
光学ヘッド１９および磁気ヘッド１８は、次世代ＭＤ２のディスクの場合には、パルス駆動磁界変調を行うことで、微少なマークを形成することができる。現行ＭＤのディスクや、次世代ＭＤ１のディスクの場合には、磁界変調方式とされる。
【００５１】
また、このストレージ部２では、光学ヘッド１９、磁気ヘッド１８による記録再生ヘッド系、スピンドルモータ２９によるディスク回転駆動系のほかに、記録処理系、再生処理系、サーボ系等が設けられる。
【００５２】
記録処理系では、現行のＭＤシステムのディスクの場合に、オーディオトラックの記録時に、ＡＣＩＲＣでエラー訂正符号化を行い、ＥＦＭで変調してデータを記録する部位と、次世代ＭＤ１または次世代ＭＤ２の場合に、ＢＩＳとＬＤＣを組み合わせた方式でエラー訂正符号化を行い、１−７ｐｐ変調で変調して記録する部位が設けられる。
【００５３】
再生処理系では、現行のＭＤシステムのディスクの再生時に、ＥＦＭの復調とＡＣＩＲＣによるエラー訂正処理と、次世代ＭＤ１または次世代ＭＤ２システムのディスクの再生時に、パーシャルレスポンスおよびビタビ復号を用いたデータ検出に基づく１−７復調と、ＢＩＳとＬＤＣによるエラー訂正処理とを行う部位が設けられる。
【００５４】
また、現行のＭＤシステムや次世代ＭＤ１のＡＤＩＰ信号よるアドレスをデコードする部位と、次世代ＭＤ２のＡＤＩＰ信号をデコードする部位とが設けられる。
【００５５】
光学ヘッド１９のディスク４０に対するレーザ照射によりその反射光として検出された情報（フォトディテクタによりレーザ反射光を検出して得られる光電流）は、ＲＦアンプ２１に供給される。
ＲＦアンプ２１では入力された検出情報に対して電流−電圧変換、増幅、マトリクス演算等を行い、再生情報としての再生ＲＦ信号、トラッキングエラー信号ＴＥ、フォーカスエラー信号ＦＥ、グルーブ情報（ディスク４０にトラックのウォブリングにより記録されているＡＤＩＰ情報）等を抽出する。
【００５６】
現行のＭＤシステムのディスクを再生するときには、ＲＦアンプで得られた再生ＲＦ信号は、ＥＦＭ復調部２４およびＡＣＩＲＣデコーダ２５で処理される。
すなわち再生ＲＦ信号は、ＥＦＭ復調部２４で２値化されてＥＦＭ信号列とされた後、ＥＦＭ復調され、更にＡＣＩＲＣデコーダ２５で誤り訂正およびデインターリーブ処理される。つまりこの時点でＡＴＲＡＣ圧縮データの状態となる。
【００５７】
そして現行のＭＤシステムのディスクの再生時には、セレクタ２６はＢ接点側が選択されており、その復調されたＡＴＲＡＣ圧縮データがディスク４０からの再生データとして出力される。
【００５８】
一方、次世代ＭＤ１または次世代ＭＤ２のディスクを再生するときには、ＲＦアンプで得られた再生ＲＦ信号は、ＲＬＬ（１−７）ＰＰ復調部２２およびＲＳ−ＬＤＣデコーダ２５で処理される。すなわち再生ＲＦ信号は、ＲＬＬ（１−７）ＰＰ復調部２２において、ＰＲ（１，２，１）ＭＬまたはＰＲ（１，−１）ＭＬおよびビタビ復号を用いたデータ検出によりＲＬＬ（１−７）符号列としての再生データを得、このＲＬＬ（１−７）符号列に対してＲＬＬ（１−７）復調処理が行われる。そして更にＲＳ−ＬＤＣデコーダ２３で誤り訂正、及びデインターリーブ処理される。
【００５９】
そして、次世代ＭＤ１または次世代ＭＤ２のディスクの再生時には、セレクタ２６はＡ接点側が選択されており、その復調されたデータがディスク４０からの再生データとして出力される。
【００６０】
ＲＦアンプ２１から出力されるトラッキングエラー信号ＴＥ、フォーカスエラー信号ＦＥはサーボ回路２７に供給され、グルーブ情報はＡＤＩＰ復調部３０に供給される。
ＡＤＩＰ復調部３０は、グルーブ情報に対してバンドパスフィルタにより帯域制限してウォブル成分を抽出した後、ＦＭ復調、バイフェーズ復調を行ってＡＤＩＰ信号を復調する。
そして、このように復調された、ディスク上の絶対アドレス情報であるＡＤＩＰアドレスは、図１に示されるシステムコントローラ８に供給される。システムコントローラ８ではＡＤＩＰアドレスに基づいて所要の制御処理を実行する。
またグルーブ情報はスピンドルサーボ制御のためにサーボ回路２７に供給される。
【００６１】
サーボ回路２７は、例えばグルーブ情報に対して再生クロック（デコード時のＰＬＬ系クロック）との位相誤差を積分して得られる誤差信号に基づき、ＣＬＶサーボ制御のためのスピンドルエラー信号を生成する。
またサーボ回路２７は、スピンドルエラー信号や、ＲＦアンプ２１から供給されたトラッキングエラー信号、フォーカスエラー信号、あるいはドライブコントローラ３１からのトラックジャンプ指令、アクセス指令等に基づいて各種サーボ制御信号（トラッキング制御信号、フォーカス制御信号、スレッド制御信号、スピンドル制御信号等）を生成し、モータドライバ２８に対して出力する。すなわち上記サーボエラー信号や指令に対して位相補償処理、ゲイン処理、目標値設定処理等の必要処理を行って各種サーボ制御信号を生成する。
【００６２】
モータドライバ２８では、サーボ回路２７から供給されたサーボ制御信号に基づいて所要のサーボドライブ信号を生成する。ここでのサーボドライブ信号としては、二軸機構を駆動する二軸ドライブ信号（フォーカス方向、トラッキング方向の２種）、スレッド機構を駆動するスレッドモータ駆動信号、スピンドルモータ２９を駆動するスピンドルモータ駆動信号となる。
このようなサーボドライブ信号により、ディスク４０に対するフォーカス制御、トラッキング制御、およびスピンドルモータ２９に対するＣＬＶ制御が行われることになる。
【００６３】
現行のＭＤシステムのディスクでオーディオデータを記録するときには、セレクタ１６がＢ接点に接続され、したがってＡＣＩＲＣエンコーダ１４およびＥＦＭ変調部１５が機能することになる。
この場合、記録データとして図１に示されるキャッシュメモリ３から供給される圧縮データは、ＡＣＩＲＣエンコーダ１４でインターリーブおよびエラー訂正コード付加が行われた後、ＥＦＭ変調部１５でＥＦＭ変調が行われる。
そして、ＥＦＭ変調データがセレクタ１６を介して磁気ヘッドドライバ１７に供給され、磁気ヘッド１８がディスク４０に対してＥＦＭ変調データに基づいた磁界印加を行うことでオーディオトラックの記録が行われる。
【００６４】
これに対し、次世代ＭＤ１または次世代ＭＤ２のディスクにデータを記録する時には、セレクタ１６がＡ接点に接続され、ＲＳ−ＬＤＣエンコーダ１２およびＲＬＬ（１−７）ＰＰ変調部１３が機能することになる。この場合、キャッシュメモリ３からの高密度データは、ＲＳ−ＬＤＣエンコーダ１２でインターリーブおよびＲＳ−ＬＤＣ方式のエラー訂正コード付加が行われた後、ＲＬＬ（１−７）ＰＰ変調部１３でＲＬＬ（１−７）変調が行われる。
そして、ＲＬＬ（１−７）符号列としての記録データがセレクタ１６を介して磁気ヘッドドライバ１７に供給され、磁気ヘッド１８がディスク４０に対して変調データに基づいた磁界印加を行うことでデータトラックの記録が行われる。
【００６５】
レーザドライバ／ＡＰＣ２０は、上記のような再生時および記録時においてレーザダイオードにレーザ発光動作を実行させるが、いわゆるＡＰＣ（Automatic Lazer Power Control）動作も行う。
つまり、図示していないが、光学ヘッド１９内にはレーザパワーモニタ用のディテクタが設けられ、そのモニタ信号がレーザドライバ／ＡＰＣ２０にフィードバックされる。レーザドライバ／ＡＰＣ２０は、モニタ信号として得られる現在のレーザパワーを、設定されているレーザパワーと比較して、その誤差分をレーザ駆動信号に反映させることで、レーザダイオードから出力されるレーザパワーが、設定値で安定するように制御している。
なお、レーザパワーとしては、再生レーザパワー、記録レーザパワーとしての値がシステムコントローラ８によって、レーザドライバ／ＡＰＣ２０内部のレジスタにセットされる。
【００６６】
以上の各動作（アクセス、各種サーボ、データ書込、データ読出の各動作）は、図１に示されるシステムコントローラ８からの指示に基づいて実行されるものとなる。
【００６７】
説明を図１に戻し、本例の記録再生装置１内部の全体構成について説明する。
図１において、キャッシュメモリ３は、上記構成によるストレージ部２によりディスク４０に記録するデータ、或いはストレージ部２によってディスク４０から読み出されたデータについてのバッファリングを行うキャッシュメモリであり、例えばＤ−ＲＡＭより構成される。
キャッシュメモリ３へのデータの書込／読出は、システムコントローラ（ＣＰＵ）８において起動されるタスクによって制御される。
【００６８】
ＵＳＢインタフェース４は、例えばパーソナルコンピュータ５０とＵＳＢケーブルとしての伝送路５１で接続された際の、データ伝送のための処理を行う。
【００６９】
入出力処理部５は、例えば記録再生装置１が単体でオーディオ機器として機能する場合に記録再生データの入出力のための処理を行う。
この入出力処理部５は、例えば入力系として、ライン入力回路／マイクロホン入力回路等のアナログ音声信号入力部、Ａ／Ｄ変換器や、デジタルオーディオデータ入力部を備える。またＡＴＲＡＣ圧縮エンコーダ／デコーダを備えるものとされる。
さらに出力系として、デジタルオーディオデータ出力部や、Ｄ／Ａ変換器及びライン出力回路／ヘッドホン出力回路等のアナログ音声信号出力部を備える。
【００７０】
また、本例の記録再生装置１には、図示するようにカメラブロック１０が備えられる。
このカメラブロック１０は、カメラレンズや例えばＣＣＤ（Charge Coupled Device）、ＣＭＯＳ（Complementary Metal-Oxid Semiconductor）センサ等の撮像素子を含む撮像部と、この場合は撮像部に得られた撮像画像に基づいた画像データを生成する信号処理回路系も含むものとして示している。カメラブロック１０により生成される撮像画像データは、システムコントローラ８の制御に基づき転送される。
【００７１】
システムコントローラ８は、記録再生装置１内の全体の制御を行うと共に、接続されたパーソナルコンピュータ５０との間の通信制御を行う。
図示するＲＯＭ８ａには、システムコントローラ８の動作プログラムや固定パラメータ等が記憶される。特に本例の場合、このＲＯＭ８ａには後の図６、図７にて説明するような本例の記録再生装置１としての動作を実現するためのプログラムが格納される。
【００７２】
またＲＡＭ８ｂは、システムコントローラ８によるワーク領域として用いられ、また各種必要な情報の格納領域とされる。
例えばストレージ部２によってディスク４０から読み出された各種管理情報や特殊情報を記憶する。上述したＰ−ＴＯＣデータ、Ｕ−ＴＯＣデータ、ＦＡＴデータ等、楽曲トラックの管理情報はこのＲＡＭ８ｂに記憶される。
また、このＲＡＭ８ｂには、後述もするように、上記したカメラブロック１０において生成された画像データが一時保持されるものとなる。
【００７３】
キャッシュ管理メモリ９は、例えばＳ−ＲＡＭで構成され、キャッシュメモリ３の状態を管理する情報が格納される。システムコントローラ８はキャッシュ管理メモリ９を参照しながらデータキャッシュ処理の制御を行う。
【００７４】
表示部６は、システムコントローラ８の制御に基づいて、ユーザーに対して提示すべき各種情報の表示を行う。例えば動作状態、モード状態、楽曲等のデータの名称情報、トラックナンバー、時間情報、その他の情報表示を行う。
また、本例において、例えばディスク４０が次世代ディスクである場合には、このディスク４０に対し楽曲データに対応づけて画像データが記憶されていることが想定されており、表示部６は、ディスク４０のロード時や再生時等においてシステムコントローラ８の制御に基づき、このように対応づけられた画像データの表示も行うものとされる。
【００７５】
操作部７には、ユーザーの操作のための各種操作子として、各種操作ボタンやジョグダイヤルなどが形成される。特に、この場合の操作子としては、カメラブロック１０に対する撮像画像の取り込みを指示するためのシャッターボタンが設けられている。
ユーザーは、この操作部７に対する操作により記録再生装置１に対する所要の動作指示を行う。システムコントローラ８は操作部７によって入力された操作情報に基づいて所定の制御処理を行う。
【００７６】
なお、この図１の記録再生装置１の構成は一例であり、例えば入出力処理部５は、オーディオデータだけでなく、ビデオデータに対応する入出力処理系を備えるようにしてもよい。
また、パーソナルコンピュータ５０との接続はＵＳＢでなく、ＩＥＥＥ１３９４等の他の外部インタフェースが用いられても良い。
また、カメラブロック１０を内蔵する場合を例に挙げたが、例えば外部接続されたデジタルスチルカメラから撮像画像データの取り込みを行う構成としてもよい。或いは、例えばＵＳＢインタフェース４を介して接続されたパーソナルコンピュータ５０等外部機器と、この外部機器に接続されたカメラ装置によって構成されるカメラシステムと連携して、撮像画像データの取り込みが可能に構成されてもよい。
【００７７】
本例では、これまでに説明したような記録再生装置１の構成によって、上記操作部７のシャッターボタンが操作されて上記カメラブロック１０にて得られた撮像画像に基づく画像データを、ストレージ部２に装填されたディスク４０の楽曲データと対応づけてディスク４０上に記録するものである。
そして本例では、このように楽曲データに対して撮像画像データを対応付けて記録するにあたり、楽曲データの再生中に上記したシャッターボタンが操作されるのに応じて、この再生中の楽曲データに対して撮像画像データを対応づけて記録するものとしている。
【００７８】
なお、このような画像データのディスク４０への記録は、次世代ディスクでのみ想定されているものであり、従って以下の説明は記録再生装置１に次世代ディスクとしてのディスク４０が装填された場合の動作であるものとする。
【００７９】
このような本例としての動作を実現するために、図１に示したシステムコントローラ８が行うべき処理動作について、次の図６のフローチャートを用いて説明する。
なお、この図に示される処理動作は、システムコントローラ８が図１に示したＲＯＭ８ａ内に格納されるプログラムに基づいて実行するものである。
図６において、システムコントローラ８は、図示するステップＳ１０１の処理によって、操作部７に設けられたシャッターボタンに対する操作を監視している。
そして、操作部７より、このようなシャッターボタンの操作に対応する操作情報が入力された場合は、ステップＳ１０２において、現在楽曲データを再生中であるか否かについての判別処理を行う。
ステップＳ１０２において、現在楽曲データを再生中ではないとして否定結果が得られた場合は、例えば図示するように処理動作を終了する。つまり、この場合は撮像画像データと楽曲データとの対応付けは行わないものとする。
また、ステップＳ１０２において、現在楽曲データを再生中であるとして肯定結果が得られた場合は、ステップＳ１０３に処理を進める。
【００８０】
ステップＳ１０３においては、撮像画像データを一時保持する。つまり、上記したシャッターボタン操作に応じてカメラブロック１０にて生成された画像データを、例えばＲＡＭ８ｂに保持するものである。
【００８１】
続くステップＳ１０４においては、現在再生中の楽曲トラックのトラックナンバー（No.）を認識する。
そして、ステップＳ１０５においては、認識したトラックナンバーの情報を元に、先に保持された撮像画像データをディスク４０上の所定領域に対して書き込む処理を行う。
さらに、続くステップＳ１０６において、このように書き込まれた撮像画像データが、認識したトラックナンバーの楽曲データと対応づけられるように、管理情報の内容を更新する処理を実行する。
【００８２】
このような処理が実行されることによって、上記ステップＳ１０５にてディスク４０上に書き込まれた画像データは、先のステップＳ１０２の時点で再生中であったトラックに対応づけられたものとして管理されるようになる。
そして以降、このディスク４０が装填された際には、例えばこのように記録された画像データを、上記再生中であった楽曲トラックに対応するイメージ画像として表示部６上に表示する等といったことが可能となる。
【００８３】
なお、上記したステップＳ１０５の処理について、撮像画像データを書き込むべきディスク４０上の領域としては、楽曲データについての管理情報側に格納領域が設けられる場合と、楽曲ファイル自体に格納領域が設けられる場合とが考えられる。
図５（ａ）、図５（ｂ）は、それぞれ楽曲データの管理情報側にこのようなイメージデータとしての画像データが格納される場合の簡略的なデータ構造と、楽曲ファイルにイメージデータの格納領域が設けられる場合の簡略的なデータ構造を示す図である。
例えば、図５（ａ）に示される場合では、上記ステップＳ１０５の処理として、例えば図のように管理情報内においてトラックナンバーごとに設けられた画像データの格納領域に対して書き込みを行うようにする。
また、図５（ｂ）に示される場合では、ステップＳ１０５の処理として、図のように楽曲ファイル側に設けられた画像データの格納領域に対して書き込みを行うようにすればよい。
【００８４】
また、ステップＳ１０５の処理について、上記説明によれば、撮像画像データのディスク４０への書き込みは、再生動作と同時並行的にリアルタイムで行われるものとなるが、このような撮像画像データのディスク４０への書き込みタイミングとしては、ディスク４０からの読み出しデータのキャッシュメモリ３へのキャッシュ後とされてもよい。
或いは、再生中であった楽曲トラックの停止後に行うなど、他のタイミングで行うようにしてもよい。
【００８５】
以上のようにして本例の記録再生装置１では、楽曲データの再生中に行われたシャッターボタン操作に応じて、撮像画像データをこの再生中の楽曲データと対応づけてディスク４０上に記録するようにしたから、楽曲データに対する撮像画像データの対応づけを１操作により実現することができる。
つまり、このような本例の記録再生装置１によりユーザーは、撮像画像データと楽曲データとの対応付けを、シャッターボタン操作のみという非常に簡易な操作により実現することが可能となる。
【００８６】
また、このように再生中の楽曲データに対応づけて撮像画像を記録するようにしたので、ユーザーは楽曲内容の確認のための試聴を行う場合にも、試聴中に撮像のための操作を行うのみでその楽曲データに対する撮像画像の対応付けを行うことができる。
これによっては、従来のように試聴によって楽曲内容を確認した後、改めて対応付けのための操作を行う必要がなくなるので、このうような点からも、本例によっては楽曲データと撮像画像を対応付けて記録させるのための操作の簡易化が図られているものとなる。
【００８７】
ところで、先の図６に示した処理動作によると、撮像画像データはトラック単位でのみの対応づけが可能なものとなる。
しかしながらこの場合、例えばアルバム単位等、再生中の楽曲トラックを含む複数の楽曲トラックから成るグループに対しても、撮像画像データを対応づけて記録するといったことも考えられる。
例えば、先に説明した次世代ディスクでは、大容量とされたことで複数のアルバム単位の楽曲データを収録することが可能となる。そして、このように複数のアルバム単位による楽曲データが記憶される状況では、これらの個々のグループに対して、撮像画像を対応づけて記録するといったことが考えられる。
【００８８】
このようにして、例えばアルバム単位等の、複数の楽曲トラックから成るグループに対する画像データの対応付けを行うとした場合は、例えば次の図７のフローチャートに示されるような処理動作を行うようにすればよい。
先ず、図７において、この場合もシステムコントローラ８は、図示するステップＳ２０１、Ｓ２０２の処理として、シャッターボタン操作の監視、及び楽曲データの再生中であるか否かの判別処理を行うようにされる。また、ステップＳ２０３では、撮像画像の一時保持のための処理を行う。
【００８９】
そして、この場合、続くステップＳ２０４においては、再生中の楽曲トラックについてのトラックナンバー、及びグループ情報を認識するための処理を実行する。
この場合、アルバム単位等でのグループの管理は、ＦＡＴデータ内における、楽曲データについての管理情報に基づいて行われるものであり、従ってこのステップＳ２０４の処理においては、上記グループ情報をこのような管理情報を参照することで認識するようにする。
【００９０】
続くステップＳ２０５においては、ステップＳ２０１にて認識されたシャッターボタン操作が、初回シャッターボタン操作であるか否かについての判別処理を行う。
つまり、この初回シャッターボタン操作として、再生中の楽曲トラックを含むグループに含まれるとされる楽曲トラックに対する、初めて行われたシャッターボタン操作であるか否かについて判別を行うものである。
【００９１】
このステップＳ２０５において、ステップＳ２０１にて認識されたシャッターボタン操作が、初回シャッターボタン操作ではないとして否定結果が得られた場合には、図示するステップＳ２０６→Ｓ２０７の処理として、先の図６に示したステップＳ１０５→Ｓ１０６と同等の処理を実行することによって、先に保持された画像データを再生中の楽曲トラックに対応づけて記録するための処理を実行する。
すなわち、初回シャッターボタン操作でない場合は、再生中のトラックに対して撮像画像データを対応づけるようにするものである。
【００９２】
一方、ステップＳ２０５において、初回シャッターボタン操作であるとして肯定結果が得られた場合は、先ずはステップＳ２０８の処理によって撮像画像データをディスク上の所定領域に対して書き込む処理を実行する。
その上で、この場合は続くステップＳ２０９において、書き込まれた画像データが再生中の楽曲トラックの属するグループと対応づけられるように、管理情報の内容を更新する処理を実行する。
これによって、初回シャッターボタン操作に応じては、撮像画像データが、再生中のトラックが属するグループに対応づけられたものとしてディスク４０上に記録されるものとなる。
【００９３】
このように図７に示した処理動作によっては、再生中の楽曲トラックに対して行われたシャッターボタン操作が、同一グループ内の楽曲トラックに対する初回のものである場合には、撮像画像データがそのグループ全体に対応づけられたものとして記録される。
一方、再生中の楽曲トラックに対して行われたシャッターボタン操作が、同一グループ内の楽曲トラックに対する２回目以降のものである場合には、再生中の楽曲トラックに対応づけられて撮像画像データが記録されるものとなる。
つまりこれによりユーザーは、シャッターボタンのみの操作で、撮像画像の楽曲トラック個々に対する対応付け、及び再生中のトラックが属するグループに対する対応付けを選択的に行うことが可能となるものである。
【００９４】
また、このような手法によれば、例えば或るグループの楽曲データに対して１度しか撮像画像の対応付けが行われない場合にも、この撮像画像をグループのイメージ画像として設定することができるというメリットがある。
【００９５】
なお、このように図７の例では、グループに対する初回シャッターボタン操作であるか否かにより、撮像画像をトラック用とするかグループ用とするかを分けるものとしたが、例えば、グループに付されたタイトル名（特にアルバムタイトル名）と同タイトルが付されたトラックの再生中に撮影された画像はグループ用とする等、他の手法が採られてもよい。
【００９６】
また、本例では、ディスク４０に記憶されるコンテンツデータが楽曲データとされる場合を例に挙げて説明したが、本発明としては、例えば映像データ等の他のコンテンツデータが記憶される場合においても好適に適用できるものである。
【００９７】
また、本例では、本発明の記録再生装置がＭＤに対応した構成に適用される場合を例に挙げたが、例えばＣＤ（Compact Disc）、ハードディスク、半導体メモリ装置等の他の記憶媒体に対応する構成に対しても本発明は好適に適用できる。
【図面の簡単な説明】
【００９８】
【図１】本発明の実施の形態としての記録再生装置の内部構成例について示したブロック図である。
【図２】実施の形態の記録再生装置が対応するとされる、次世代ディスクについて説明するための図である。
【図３】同じく、実施の形態の記録再生装置が対応するとされる、次世代ディスクについて説明するための図である。
【図４】実施の形態の記録再生装置内に備えられるストレージ部の内部構成例について示すブロック図である。
【図５】記憶媒体に記憶されるコンテンツデータについての管理情報のデータ構造と、コンテンツデータのデータファイルのデータ構造を簡略的に示した図である。
【図６】実施の形態の記録再生装置の処理動作について示したフローチャートである。
【図７】同じく、実施の形態の記録再生装置の処理動作について示したフローチャートである。
【符号の説明】
【００９９】
１  記録再生装置、２  ストレージ部、３  キャッシュメモリ、４  ＵＳＢインタフェース、５  入出力処理部、６  表示部、７  操作部、８  システムコントローラ、８ａ  ＲＯＭ、８ｂ  ＲＡＭ、９  キャッシュ管理メモリ、１０  カメラブロック
【図１】
2005158112.tif 000003
【図２】
2005158112.tif 000004
【図３】
2005158112.tif 000005
【図４】
2005158112.tif 000006
【図５】
2005158112.tif 000007
【図６】
2005158112.tif 000008
【図７】
2005158112.tif 000009